(57)【要約】【課題】紫外線ランプ６ａで光触媒フィルタ７ｃと電気集塵装置１を同時に除菌する。【解決手段】筐体表面に吸込口と吹出口を設け、筐体内に熱交換器と送風ファンを備え、前記吸込口と吹出口の間に送風路を形成し、前記吸込口から吸い込んだ室内空気を熱交換した後、吹出口より室内へ送風する空気調和機に於いて、前記送風路に光触媒による脱臭フィルタと放電極と放電対極を備える電気集塵装置を設け、前記脱臭フィルタと電気集塵装置の間に紫外線ランプを位置させ、前記放電対極の表面に光触媒層を形成したものである。【選択図】図２
2005049048.tif 000002
【特許請求の範囲】
【請求項１】
筐体表面に吸込口と吹出口を設け、筐体内に熱交換器と送風ファンを備え、前記吸込口と吹出口の間に送風路を形成し、前記吸込口から吸い込んだ室内空気を熱交換した後、吹出口より室内へ送風する空気調和機に於いて、前記送風路に光触媒による脱臭フィルタと放電極と放電対極を備える電気集塵装置を設け、前記脱臭フィルタと電気集塵装置の間に紫外線ランプを位置させ、前記放電対極の表面に光触媒層を形成した事を特徴とする空気調和機。
【請求項２】
前記脱臭フィルタと電気集塵装置は樹脂製の枠体に収納し、脱臭フィルタは不織布に酸化チタン等の光触媒層を形成し、前記電気集塵装置の針状放電極は放電対極に備えた孔部と１対１で対応して設けられると共に、放電対極表面に光触媒層を形成し、この放電対極の一端には取手を備え、この取手にて前記枠体の溝部に摺動して着脱自在に装着するフィルタユニットを備えた事を特徴とする請求項１記載の空気調和機。
【発明の詳細な説明】
【技術分野】
【０００１】
この発明は空気調和機に関し、特に室内空気の脱臭及び集塵を行うことに関するものである。
【背景技術】
【０００２】
従来の空気調和機は臭気を含んだ室内空気を内部に吸引し、吸引された空気は、熱交換器、紫外線ランプにより紫外線が照射される脱臭剤、送風機を通り再び室内に吐出される。また脱臭剤は酸化チタン光触媒層を表面に形成した活性炭で構成され、脱臭剤に吸着された臭気成分を紫外線と光触媒層によって分解することにより、脱臭効果を長期間にわたり保持できるものであった。
また空気調和機に電気集塵装置を取り付けて、空気中の微細な粉塵やタバコの煙を取り除くものも有った。
【特許文献１】特許第３１２２４２４号公報
【発明の開示】
【発明が解決しようとする課題】
【０００３】
しかしながら、この従来の空気調和機では、前者は吸着剤と光触媒による臭気成分の吸着、分解による臭気脱臭を得るものであるが、室内空気に含まれる微細な粉塵や光触媒では分解されない無機物質への対応がなされておらず、脱臭運転を続けるうちに脱臭剤表面に微細な粉塵や無機物質が蓄積して、定期的に微細な粉塵や無機物を取り除かないと脱臭性能が低下するという欠点を有していた。
また後者は空気調和機に電気集塵装置を取り付けたものは、空気中のタバコの煙等を取り除く放電対極に付着したタバコの煙等の成分が多くなると、放電対極自身が異臭を発生する原因となるものであった。
【課題を解決するための手段】
【０００４】
この発明はこの点に着目し上記欠点を解決する為、筐体表面に吸込口と吹出口を設け、筐体内に熱交換器と送風ファンを備え、前記吸込口と吹出口の間に送風路を形成し、前記吸込口から吸い込んだ室内空気を熱交換した後、吹出口より室内へ送風する空気調和機に於いて、前記送風路に光触媒による脱臭フィルタと放電極と放電対極を備える電気集塵装置を設け、前記脱臭フィルタと電気集塵装置の間に紫外線ランプを位置させ、前記放電対極の表面に光触媒層を形成したものである。
【０００５】
また前記脱臭フィルタと電気集塵装置は樹脂製の枠体に収納し、脱臭フィルタは不織布に酸化チタン等の光触媒層を形成し、前記電気集塵装置の針状放電極は放電対極に備えた孔部と１対１で対応して設けられると共に、放電対極表面に光触媒層を形成し、この放電対極の一端には取手を備え、この取手にて前記枠体の溝部に摺動して着脱自在に装着するフィルタユニットを備えたものである。
【発明の効果】
【０００６】
この発明によれば、臭気成分を光触媒と紫外線ランプで分解するだけでなく、室内空気に含まれる微細な粉塵やタバコの煙等の脱臭フィルタでは捕捉できないゴミを放電対極に吸い付け、蓄積した粉塵に混入する細菌を紫外線ランプで殺傷すると事ができ、１つの紫外線ランプで脱臭フィルタと電気集塵装置に対して同時に紫外線照射ができ、より空気清浄効果の高い空気調和機を提供できるものであると共に、電機集塵装置の放電対極表面にも光触媒層を形成したので、放電対極に付着したゴミに含まれるタバコの煙等の臭気成分を光触媒によって分解することで、より空気清浄効果の高い空気調和機を提供するものである。
また脱臭フィルタと紫外線ランプと電気集塵装置を吸込口と熱交換器の間の空間に設けたので、掃除やその他メンテナンスが容易に行えると共に、熱交換器の風上側に位置することで、熱交換器への臭気成分や塵埃の付着を少なくできるものである。
また比較的熱に弱い脱臭フィルタを紫外線ランプの風上側に、比較的熱に強い電気集塵装置を紫外線ランプの風下側に位置させたことで、紫外線ランプの発生する熱に対してより安全な空気調和機を提供できるものである。
また放電対極に備えた取手によって放電対極は簡単に着脱でき、掃除を簡単に行うことができるものである。
【発明を実施するための最良の形態】
【０００７】
室内に漂うあらゆる種類のゴミを光触媒を使用した脱臭フィルタと、電気集塵装置の光触媒層を表面に形成した放電対極によって捕捉し、脱臭フィルタと電気集塵装置の間に備えた紫外線ランプと光触媒の作用によって、捕捉したゴミを除菌すると共に臭気の成分を分解する事で脱臭フィルタと放電対極の掃除の頻度も少なくなり。放電対極の取手にて簡単に取外しができ掃除が容易に行えるものである。
【実施例１】
【０００８】
以下この発明の一実施例を図１〜図２をもとに説明すれば、１は空気調和機２の通風経路の一部に組み込まれた電気集塵装置で、絶縁性のプラスチック等より成る集塵枠３内に約４０００ボルトの直流電源のマイナスと接続される放電極４と直流電源のプラス側と接続される放電対極５を備えるものである。
前記枠体３は左右に２つに別れ、それぞれに放電極４と放電対極５が１つずつ取付られるものである。
【０００９】
前記放電極４は厚さ約１ｍｍのアルミニウム製フレーム４ａの中央に平行な放電極基板４ｂを形成し、この放電極基板４ｂから風下側に向かって先尖状の放電針４ｃを備えたもので、前記枠体３に備えた爪３ａによって取付られている。
前記放電対極５は厚さ約１ｍｍのアルミニウム製平板の中央部分に直径約１７ｍｍ程の複数の孔部５ａを設けると共に板の端部５ｂを比較的熱に強い性質のプラスチック等の絶縁部材で覆い、この絶縁部材の一部を凸設して取手５ｃを形成し、前記枠体３の左右と中央の内側に設けた溝３ｂへ下方よりスライドさせて簡単に着脱できるようにしたものであり、前記放電針４ｃは孔部５ａの中心に向かって１：１で対応して設けられる。
【００１０】
そして前記放電極４の放電針４ｃの先端は取付時には放電対極５の孔部５ａの中心よりも１ｍｍ〜５ｍｍ風上側（この実施例では２ｍｍ風上側）に位置するようにセットされている。これにより前記放電対極５の板部５ｄで集塵部を兼ねることができるようにすると共に放電対極５のみを着脱自在にすることができるものである。
又前記放電対極５の板部５ｄの表面は光触媒作用を含んだ塗装等が施される事で、板部５ｄ表面に光触媒層が形成され、板部５ｄに付着したタバコの煙等の臭気成分を、紫外線ランプ６ａの照射により分解して取り除くことができるものである。
又前記集塵枠３の側面或いは中央には放電極４とマイナス側電源を接続するマイナス端子３ｃと、放電対極５とプラス側電源を接続するプラス側端子３ｄを備えている。
【００１１】
前記集塵枠３の前面にはランプユニット６を備え、このランプユニット６の中央に円筒状の紫外線ランプ６ａを横長に取り付ける樹脂製のランプ枠６ｂを備え、左右に４箇所設けた爪６ｃ等の固定手段で前記集塵枠３の取付穴３ｅに係止して取り付けるものであり、前記紫外線ランプ６ａは点灯時に熱を発生するものである。
【００１２】
７は脱臭フィルタで、前記紫外線ランプユニット６前面の風上側に設けられ、フィルタ枠７ａの前後に４箇所設けた爪７ｂ等の固定手段によって、前記ランプユニット６の取付穴６ｄに係止して取り付けられるものであり、光触媒フィルタ７ｃは活性炭等の吸着剤を不織布等により混入させたものに酸化チタン等の光触媒層を形成したもので、臭気成分を吸着し臭気の脱臭を行うと共に、光触媒層への紫外線の照射により、吸着剤に吸着された臭気成分を分解するものである。
また前記光触媒フィルタ７ｃの吸着剤や不織布等は比較的熱に弱いために、熱を発生する紫外線ランプ６ａよりも風上側に設ける事でより安全に使用する事ができるものである。
前記フィルタ枠７ａの前面下部には脱臭フィルタ７の着脱を行う取手７ｄを備えている。
【００１３】
３ｆは前記枠体３の風下側に突出した取付足で、フィンチューブ式の熱交換器８の前面のフィン８ａ或いは熱交換パイプ８ｂの間に挿入して取り付けられるものであり、また熱交換器８は前側に傾斜する前部熱交換器８ａと背面側に傾斜する後部熱交換器８ｂで構成されるものである。
前記電気集塵装置１とランプユニット６と脱臭フィルタ７を、ユニットとしてフィルタユニット９を形成したので、組み立て作業や修理が容易に行うことができるものである。
【００１４】
前記空気調和機２は背面のケーシング１０と前面の前パネル１１に依って筐体外面を構成し、前記前パネル１１前面と上面に空気吸込口１２を設け、この吸込口１２の裏面に沿って空気中の比較的大きな塵を取り除く網目状のプレフィルタ１３を備えている。
このプレフィルタ１３の風下には、前記熱交換器８を設けプレフィルタ１３と熱交換器８の間の上部には光触媒フィルタ７ｃ、紫外線ランプ６ａ、電気集塵装置１を備えている。
【００１５】
１４は冷房運転時に前記熱交換器８で発生した結露水を受けるドレーン皿で、前記前部熱交換器８ｃの結露水を受ける前部ドレーン皿１４ａと、後部熱交換器８ｄの結露水を受ける後部ドレーン皿１４ｂを備えている。
前記前部ドレーン皿１４ａの背面側の壁面と、後部ドレーン皿１４ｂの前面側壁面は送風ファン１５の整流板を兼ねるものである。
前記送風ファン１５は熱交換器８とケーシング１０の間に備えた横流ファンで、吸込口１２から室内空気を吸入し前記前パネル１１下部に設けた吹出口１６より吹き出すものであり、この吹出口１６には吹き出し空気の方向を使用者の好みによって変えるための上下風向板１７と左右風向板１８を備えている。
【００１６】
作動について説明すれば、空気調和機２を運転すれば送風ファン１５や圧縮機（図示せず）が運転を始め、吸込口１２から吸い込まれた室内の空気はプレフィルタ１３にて比較的大粒の塵埃が取り除かれたのち一部の空気は直接熱交換器８へすすみ、又一部の空気は光触媒フィルタ７ｃ、電気集塵装置１を通過したのち熱交換器８にて熱交換され送風ファン１５を経由して吹出口１６より室内へ吹き出される。
【００１７】
この時紫外線ランプ６ａと電気集塵装置１の運転装置（図示せず）を作動すれば、紫外線ランプ６ａが点灯を開始すると共に、放電極４と放電対極５との間に約４０００ボルトの直流電圧が加えられ、これにより空気中のタバコの煙や目に見えないような小さな塵埃が放電極４の放電針４ｃと放電対極５の孔部５ａの縁の間を通過する際にマイナスの電荷を帯び、この孔部５ａ通過後にプラス側に帯電している放電対極５裏面の板部５ｄに引きつけられて吸着し、空気中の塵埃が取り除かれ、空気中の臭気成分は光触媒フィルタ７ｃに取り除かれ、紫外線の照射によって光触媒フィルタ７ｃの光触媒層が反応して同時に臭気成分を分解し、光触媒フィルタ７ｃの掃除や交換時期を長くすることができるものであり、また電気集塵装置１の放電対極５に蓄積する塵埃に混じる細菌を殺菌すると共に放電対極５の表面に形成した光触媒層によってタバコの煙等の成分から発生する臭気の成分を分解し、より室内空気を清浄化するものである。
【００１８】
掃除について説明すれば、汚れた脱臭フィルタ７を取り外した後、汚れた放電対極５を枠体３の溝部３ｂに沿って引き抜けば簡単に取り出せるものであり、洗剤にて水洗いするのも放電極４の放電針４ｃや放電極基板４ｂが邪魔になるようなこともなくきわめて簡単で且つ安全なものである。また、通常の汚れでは放電対極５のみを掃除すれば良いが、特に汚れがひどくて放電針４ｃも掃除の必要が有る場合には、放電対極５を取り外したのちに、枠体３の爪３ａを外して放電極４も取り外すことができるものである。また、放電極４及び放電対極５を取り付けるのは単純に取外しの逆を行えば良くきわめて簡単なものである。
【００１９】
このように、臭気成分を光触媒と紫外線ランプ６ａで分解するだけでなく、室内空気に含まれる微細な粉塵やタバコの煙等を集塵電極に吸い付け、蓄積した粉塵に混入する細菌を紫外線ランプ６ａで殺傷すると共に、光触媒層によってタバコの煙等の臭気成分を取り除くものであり、１つの紫外線ランプ６ａで光触媒フィルタ７ｃと電気集塵装置１に対して同時に紫外線照射ができ、より空気清浄効果の高い空気調和機を提供できるものである。
【００２０】
また光触媒フィルタ７ｃと紫外線ランプ６ａと電気集塵装置１を吸込口１１と熱交換器８の間の空間に設けたので、掃除やその他メンテナンスが容易に行えると共に、熱交換器８の風上側に位置することで、熱交換器８への臭気成分や塵埃の付着を少なくできるものである。
また構造が比較的複雑な電気集塵装置１を熱交換器８側に配置する事で、光触媒フィルタ７ｃと紫外線ランプ６ａと電気集塵装置１をユニットでコンパクトに空気調和機に取り付ける事ができるものである。
また比較的熱に弱い光触媒フィルタ７ｃを紫外線ランプ６ａの風上側に、比較的熱に強い電気集塵装置１を紫外線ランプ７ｃの風下側に位置させたことで、紫外線ランプ６ａの発生する熱に対してより安全な空気調和機を提供できるものである。
【図面の簡単な説明】
【００２１】
【図１】この発明一実施例の断面図。
【図２】同要部の分解状態の斜視図。
【符号の説明】
【００２２】
１    電気集塵装置
５    放電対極
６ａ    紫外線ランプ
７    脱臭フィルタ
７ｃ    光触媒フィルタ
１２    吸込口
１６    吹出口
【図１】
2005049048.tif 000003
【図２】
2005049048.tif 000004